(57)【要約】【課題】弾薬の貯蔵、運搬、取り扱い時における安全性を確保し、且つ同じ積載状態で、弾薬に関わる全ての作業においての作業効率が向上されるパレットを提供することを目的とする。【解決手段】複数の弾薬ケースを積載させるパレットで、弾薬ケースを複数載せたパレット同士を弾薬ケースを介して重ねることが可能な構造であり、弾薬ケースの凸部に合う溝をパレットの表裏に複数有していることを特徴とする弾薬ケース用パレット。【選択図】  図４
2004226031.tif 000002
【特許請求の範囲】
【請求項１】
複数の弾薬ケースを積載させるパレットで、弾薬ケースを複数載せたパレット同士を弾薬ケースを介して重ねることが可能な構造であり、弾薬ケースの凸部に合う弾薬ケース用溝をパレットの表裏に複数有していることを特徴とする弾薬ケース用パレット。
【請求項２】
前記弾薬ケース用溝は、裏と表でそれぞれ同じ深さの溝を有していて、溝の配置は裏と表で同一形状か、溝が互い違いに設けられており、溝の深さは、弾薬ケースの最大外径の半分以下、最大外径の１／１５以上で、パレットの厚さの寸法は弾薬ケースの最大外径の倍以下、溝の深さの寸法より厚いことを特徴とする請求項１に記載の弾薬ケース用パレット。
【請求項３】
前記パレットの材質は、比重０．５０〜３．００の範囲内のものからなることを特徴とする請求項１及び請求項２に記載の弾薬ケース用パレット。
【請求項４】
パレットの表と裏の一部に平らな面を有している請求項１〜３いずれかに記載の弾薬ケース用パレット。
【発明の詳細な説明】
【０００１】
【発明の属する技術分野】
本発明は、分離装填弾の発射装薬、固定弾薬あるいは半固定弾薬、弾丸、ロケット弾等の弾薬ケースを運搬する際の「弾薬ケース用パレット」に関するものである。例えば、長い円筒状のような安定性の悪い複数の弾薬ケースを同時に運搬するための特殊な形状の「よろい」またはパレットに関するものである。
分離装填弾とは、薬きょうがなく、重量・容積が大きく、信管付弾丸や発射装薬、火管が別々に火砲に装填される弾薬のことである。また、固定弾薬とは、弾丸と薬きょうが一体として固定されているもののことである。また、半固定弾薬とは弾丸と薬きょうが固定されていないもののことである。また、発射装薬とは、発射薬と点火薬を組み合わせて、実用容器に組み込んだもののことである。
【０００２】
【従来の技術】
固定弾薬、分離装填弾の発射装薬等の弾薬を貯蔵、運搬し、取り扱う容器として、円筒状の金属あるいはファイバーを基材とするケースが用いられている。これらのケースの多くは形状が円筒状である為、転がりを防止できず、また、複数のケースを積載することがしばしば困難であった。
従来、これらのケースを貯蔵庫等にて貯蔵、保管する際には、木製の長い板を敷き、弾薬ケースを並べ、両端を木の棒等で止めて、それを複数段繰り返して積載するか、俵積みにする方法がとられていた。また運搬する際は、例えば積載している上の段から運搬台に新たに弾薬ケースを載せ、トラック等の荷台までローラコンベヤ等を使用して運搬し、トラック等の荷台でまた積み替えるといった作業の繰り返しが行われていた。さらに弾薬ケースは目的地でトラック等から降ろし、直接地面に俵積みにして置くという方法がとられていた。このような作業の流れの場合、貯蔵、払い出し、取り扱いの際に弾薬ケースはそれぞれ異なる積載方法がとられており、弾薬ケースの積載に多くの時間を要していた。また、俵積みでは、万が一、地震等が発生した際、転がり、崩れる心配があった。
【０００３】
固定弾薬、ロケット、弾丸等の弾薬及び弾薬ケースを貯蔵、運搬、取り扱いの例として、以下のものが知られている。
特許文献１には、ケース側面に、他のケースと積載可能な部品を有するケースで、複数の弾薬ケースを積載し、コンテナ状態にすることが可能となる２本の弾薬を収納するケースが開示されている。
特許文献２には、他のケースと積載することが可能な部品を有している、弾丸を収納するケースが開示されている。
特許文献３には、一つのコンテナに１６本の弾薬を一度に収納可能なコンテナが開示されている。
【０００４】
【特許文献１】
米国特許第４５６６５８８号明細書
【特許文献２】
米国特許第４７３３７７３号明細書
【特許文献３】
欧州特許第００４７８６２号明細書
【０００５】
【発明が解決しようとする課題】
弾薬の貯蔵、運搬、取り扱い時における安全性を確保し、且つ同じ積載状態で、弾薬に関わる全ての作業においての作業効率が向上されるパレットを提供することを目的とする。
【０００６】
【発明が解決するための手段】
本発明者らは、上記課題を解決するために、弾薬を貯蔵、払い出し、運搬、取り扱いの際の積載手段について鋭意研究した結果、弾薬ケース用パレットの形状、材質を検討することによって前記目的が達成されることを見出して本発明をなすに至った。
【０００７】
すなわち、本発明は、以下の態様を有するものである。
（１）複数の弾薬ケースを積載させるパレットで、弾薬ケースを複数載せたパレット同士を弾薬ケースを介して重ねることが可能な構造であり、弾薬ケースの凸部に合う溝をパレットの表裏に複数有していることを特徴とする弾薬ケース用パレット。
（２）前記弾薬ケース用溝の深さは、裏と表でそれぞれ同じ深さの溝を有していて、溝の配置は裏と表で同一形状か、溝が互い違いに設けられており、溝の深さは、弾薬ケースの最大外径の半分以下、最大外径の１／１５以上で、パレットの厚さの寸法は弾薬ケースの最大外径の倍以下、溝の深さの寸法より厚いことを特徴とする前記（１）に記載の弾薬ケース用パレット。
（３）前記パレットの材質は、比重０．５０〜３．００の範囲内のものからなることを特徴とする前記（１）及び（２）に記載の弾薬ケース用パレット。
（４）パレットの表と裏の一部に平らな面を有している前記（１）〜（３）いずれかに記載の弾薬ケース用パレット。
【０００８】
本願発明の態様について、更に詳細に説明する。
本発明の弾薬ケース用パレットの材質は、貯蔵庫等に入れること、複数の弾薬を載せること、人の手により取り扱うことから比重０．５０〜３．００の範囲内の材質が好ましい。更に好ましくは、導電性もしくは帯電防止材入りで耐久性に優れている材質が好ましい。パレットの材質の比重が０．５０より小さい場合、耐久性に欠けるため、複数の弾薬ケースを載せることが困難になり、比重が３．００より大きい場合、パレット本体の重量が大きくなるため、好ましくない。パレットの具体的な材料の例としては、ポリプロピレン等の樹脂材料、アルミ、木、ファイバー等がある。好ましくは、成型が容易な樹脂製である方が良い。更に好ましくは導電性である方が良い。
【０００９】
パレットに設ける弾薬ケース用溝の形状は弾薬ケースに合わせた形状で、複数のケースを載せるために溝を複数設ける。溝の配置は効率的に貯蔵するため、パレットに複数の弾薬ケースを載せた場合に、隙間無く並べられる位置にする事が好ましい。パレットの裏と表は、同一形状であるか、裏と表の溝が互い違いに設けられていることが好ましい。パレットの裏と表が同一形状であるということは、図２の状態のパレットを、線Ａを軸にしてひっくり返した場合、返す前と返した後で同じ状態になる形状のことをいい、裏と表で溝が互い違いに配置されているということは、パレットを図１のように見た場合、溝の配置が裏と表で互い違いになっている状態である。また、弾薬ケースの凸部とは、円筒状の場合は円形部分そのものを指し、弾薬ケースの凸部の形状としては円筒形が最も一般的である。弾薬ケース用溝の深さは弾薬ケースの最大外径の半分以下、最大外径の１／１５以上であることが好ましい。図１に示す弾薬ケース用溝の深さは弾薬ケースの最大外径の半分以下、最大外径の１／１５以上である。弾薬ケースの最大外径とは、図６のＢの寸法のことをいう。ただし、図６の符号９の補強リングを有している弾薬ケースの場合の最大外径は、補強リングを除いた部分のことをいう。弾薬ケース用溝の深さが最大外径の半分より大きい場合、弾薬ケースを載せた複数のパレットを重ねた場合に、弾薬ケースとパレットの間に隙間が生じ、安定性が悪くなる恐れがあり、最大外径の１／１５より小さい場合、弾薬ケースをパレットに載せた際に、溝が浅いため弾薬ケースが不安定になる恐れがある。また、補強リングを有している弾薬ケースをパレットに載せる場合、図２の符号４に示す補強リング用溝を設ける必要があり、その溝はパレットを積み上げた際に補強リング同士が接触することが、貯蔵の際に場所をとらないことから望ましい。このため、補強リング用の溝は貫通していてもよい。
【００１０】
また、図２に示す弾薬ケース用パレットの長さは弾薬ケースの長手方向の寸法以下が望ましい。長さがこれ以上になると、貯蔵や運搬の際に場所をとる恐れがある。図２に示す弾薬ケース用パレットの幅は弾薬ケースの最大外径をパレットに載せる本数分足した寸法に出来るだけ、近づけることが好ましい。また、図４及び図５のように弾薬用パレットを用いて弾薬ケースを貯蔵する際には、底部側のパレットは図４の符号６のようにフォークリフト等で運搬可能な構造のものを別途用意して弾薬ケースを積載するのが好ましい。ベルト等で固定することは更に好ましい方法である。図１に示すように、パレットの厚さは弾薬ケースの最大外径の倍以下、弾薬ケース用溝の深さの寸法より厚いことが望ましい。ただし、補強リングを有している弾薬ケースの場合の最大外径は、補強リングを除いた部分のことをいう。パレットの厚さが弾薬ケースの最大外径の倍より大きい場合、パレットの重量が大きくなることや、パレットを用いて積み重ねた際に、効率よく積み重ねることが出来なくなり、弾薬ケース用溝の深さの寸法より薄い場合、弾薬ケースを安定して載せるのに必要な溝の深さをとれない恐れがある。
【００１１】
ローラコンベヤ等を貯蔵庫等への出し入れに使用する際には、その上を安定して複数の弾薬ケースを載せたパレットを運搬するために、コンベヤとの接触面は平らであることが好ましい。図３に示す平らな面までの深さはパレット本体の強度を確保するため、浅いことが好ましい。このため深さは、溝の深さと同じであるのが好ましい。また幅は、使用するコンベヤ等の幅以上である必要がある。
パレットの成型方法としては、どのような方法で成型しても良いが、例えば樹脂、ファイバー、アルミ製の場合、強度と軽量化を考えると、金型を使用した一体成型によって成型するのが望ましい。
【００１２】
【発明の実施の形態】
以下に、本発明を更に具体的に説明する。本発明はこれらの具体例によって技術的範囲を何ら限定されるものではない。
図１〜３は、本発明の弾薬ケース用パレットの例の正面図、上面図、側面図である。図１〜３において、弾薬ケース用パレット１はパレットの表裏にそれぞれ弾薬ケース用溝２、補強リングを有している弾薬ケースを載せる場合の補強リング用溝４、平らな面３を有している。弾薬ケース用溝２の形状は、運搬中の弾薬ケースを安定させるために、弾薬ケースの形状と同じである。補強リング用溝４は、弾薬ケースを載せたパレット同士を積載した際に、積み上げたときの高さを抑えるために貫通している。平らな面３までの深さは、パレット本体の強度を確保するため、弾薬ケース用溝２の深さに合わせている。
【００１３】
図４及び図５は、本発明の実施の形態の例である弾薬ケース用パレットを用いて積載した場合の例の正面図、側面図である。
図４及び図５において、弾薬ケースを載せた複数のパレットを同時に運搬するために、底部側のパレット６は、フォークリフト等の爪が入る構造のパレットを用い、その上に弾薬ケースを載せたパレットを複数段積み重ね、ベルト７で固定している。
【００１４】
図６〜８は、本発明の実施の形態の例であるローラコンベヤ上の弾薬ケース用パレットの例の上面図、正面図、側面図である。
図６〜８において、弾薬ケース５を載せた弾薬ケース用パレット１はローラコンベヤ８の上を運搬している。
【００１５】
【発明の効果】
以上述べたように、本発明では次の効果を有する。
（１）弾薬ケースを貯蔵庫等から出し入れする際、本パレットを用いることで、貯蔵庫等の大きさ、運搬の方法を選ばず、一度に複数の弾薬ケースを運搬することが可能となる。
（２）貯蔵庫等で弾薬を貯蔵する際、底部側のパレットにフォークリフト等の爪が入る構造のパレットを置き、その上に弾薬ケースを載せた本パレットを積載し、ベルト等で固定することで、フォークリフト等を用いて一度に複数のパレットを運搬することが可能となる。
（３）トラックで弾薬を運搬する際、本パレットを使用して積載した状態で運搬することで、安定性が増し、運搬の際の安全性が向上し、且つ弾薬ケースの破損の恐れを軽減させることが出来る。
（４）弾薬を使用する場所においても、トラックから本パレットを使用して積載した状態のまま下ろすことで、地面に置く際にも安定性が増し、さらに積み上げた状態のまま、弾薬ケースから弾薬を取り出すことが可能となる。
【図面の簡単な説明】
【図１】弾薬ケース用パレットの正面図
【図２】弾薬ケース用パレットの上面図
【図３】弾薬ケース用パレットの側面図
【図４】弾薬ケース用パレットを用いて積載した場合の例の正面図
【図５】弾薬ケース用パレットを用いて積載した場合の例の側面図
【図６】ローラコンベヤ上の弾薬ケース用パレットの例の上面図
【図７】ローラコンベヤ上の弾薬ケース用パレットの例の正面図
【図８】ローラコンベヤ上の弾薬ケース用パレットの例の側面図
【符号の説明】
１  弾薬ケース用パレット
２  弾薬ケース用溝
３  平らな面
４  補強リング用溝
５  弾薬ケース
６  底部側のパレット
７  ベルト
８  ローラコンベヤ
９  補強リング
【図１】
2004226031.tif 000003
【図２】
2004226031.tif 000004
【図３】
2004226031.tif 000005
【図４】
2004226031.tif 000006
【図５】
2004226031.tif 000007
【図６】
2004226031.tif 000008
【図７】
2004226031.tif 000009
【図８】
2004226031.tif 000010